(57)【要約】【課題】  ホコリやチリ等が発生する作業などを、作業者が中に入って行うことが可能であり、しかもその設置や除去を簡便に行うことが可能な空気清浄器を提供することを課題とする。【解決手段】  折り畳みが可能に構成され、内部に作業者が入った状態で作業を行うことが可能なブース部と、前記ブース部内の空気を清浄化する空気清浄化手段とを備えたことを特徴とする空気清浄器。【選択図】  図１
2006299736.tif 000002
【特許請求の範囲】
【請求項１】
折り畳みが可能に構成され、内部に作業者が入った状態で作業を行うことが可能なブース部と、
前記ブース部内の空気を清浄化する空気清浄化手段とを備えたことを特徴とする空気清浄器。
【請求項２】
室内との空間を区画するために立設される複数本の骨組と、当該複数本の骨組の表面を覆うように張設されるシート体とから折り畳みが可能に構成され、内部に作業者が入った状態で作業を行うことが可能なブース部と、
前記ブース部の一端に連結され、フィルターと吸気ファンとを備えた吸気手段と、
前記ブース部の他端に連結され、少なくともフィルターを備えた排気手段とを具備したことを特徴とする空気清浄器。
【請求項３】
前記ブース部は、複数本の骨組の間にシート体を畳み込むことにより、長手方向に沿って折り畳むことが可能に構成されていることを特徴とする請求項１又は２に記載の空気清浄器。
【請求項４】
前記ブース部の排気部には、別体に構成された空気清浄化フィルターと排気ファンとを備えた空気清浄化手段が連結されることを特徴とする請求項１乃至３のいずれかに記載の空気清浄器。
【請求項５】
前記ブース部の吸気側に配設される吸気手段に、温度調節手段を設けたことを特徴とする請求項２に記載の空気清浄器。
【発明の詳細な説明】
【技術分野】
【０００１】
この発明は、室内等の作業中において発生する( 舞い上がる) ホコリ、チリ、ダニ、カビや、人体に有害なガス等を強制的に排出し、人体に吸引しないようにする為などに使用される空気清浄器に関するものである。
【背景技術】
【０００２】
【特許文献１】特開２００１−２５２６０１号公報
【特許文献２】特開２０００−２２５３６１号公報
【特許文献３】特開平１１−１５９８１８号公報
【特許文献４】特開平８−６６４３３号公報
【０００３】
従来、ホコリやチリ等を極端に嫌う環境においては、部屋全体を清浄化したクリーンルームが用いられ、当該クリーンルームの入室に際して、エアーシャワー等によって人体や衣服等に付着したホコリやチリなどを完全に遮断するようになっている。
【０００４】
かかるクリーンルームの場合には、室内の空気をすべて清浄化しなければならないため、クリーンルームを特別に設計して、空気の清浄化を図る装置を配備する必要がある。そのため、一般家庭や小規模の工場などで、ホコリやチリ等が発生する作業や、ホコリやチリ等を嫌う作業を行う場合に、ある特定の限られた空間のみ、簡便に空気を清浄化したいという要請には応えることができない。
【０００５】
たとえば、室内において古書等のホコリやチリが多い物の整理作業を行う場合や、細かいホコリやチリが発生する手作業による研磨作業などを行う場合、あるいは外出から帰宅したときに、衣服に付着したホコリや花粉等を振るい落としたい場合など、これらの作業を行っても、ホコリやチリ等が室内に飛散することなく、空気を清浄化することができる簡便な空気清浄器が望まれる。
【０００６】
このような簡便な空気清浄器に関連する技術としては、例えば、特開２００１−２５２６０１号公報や、特開２０００−２２５３６１号公報、特開平１１−１５９８１８号公報、特開平８−６６４３３号公報等に開示されているものが既に提案されている。
【０００７】
上記特開２００１−２５２６０１号公報に係る塗装ブースは、ダンパーを有する給気ブースと、その下部に設けられた塗装ブースと、該給気ブースと該塗装ブースとを区画する整流板とを有する本体と；該塗装ブースの下部に設けられたミスト洗浄水兼塗料ミスト捕集タンクと；フィルタと、エリミネータと、バッフル板とを有し、該塗装ブースの排気側に設けられた空気清浄室と；該空気清浄室の上部で、それから分離して設けられた排気部と；該排気ファンに接続された排気ダクトとから成り；該給気ブースからの空気を該整流板を介して整流後、該塗装ブース内で空気層流を形成して該塗装ブースの下部の該ミスト洗浄水兼塗料ミスト捕集タンク内の洗浄水に気液接触させながら該空気清浄室内に導き、該整流板から該空気清浄室の下部排気口に導かれる空気整流に層流を形成して空気層流の到着時間を同一とし、浮遊溶剤等を含む汚染空気を外部に排出させないように構成したものである。
【０００８】
また、上記特開２０００−２２５３６１号公報に係る形態式塗装ブースは、その一部を塗装作業用開口部とした筐体の、この開口部以外の壁面に、排気口を設け、この排気口に、交換式吸塵フィルターを具備した電気掃除機等空気吸引可能装置の、吸込み口を、連結して使用するように構成したものである。
【０００９】
さらに、上記特開平１１−１５９８１８号公報に係る空気清浄装置は、ファンとフィルタが一体的に設けられたファンフィルタユニットを有し、複数の上記ファンフィルタユニットが天井部分に設けられている空気清浄装置において、上記天井面には、水平方向に所定間隔で平行に設けられたガイド部材を備え、そのガイド部材上に載置された上記ファンフィルタユニットが、そのガイド部材の長手方向に摺動可能に取り付けられるように構成したものである。
【００１０】
又、上記特開平８−６６４３３号公報に係るクリーンブースは、横臥する人体の頭部を含む少なくとも上半身部分を覆うように外気から隔絶された所定の空間を提供するクリーンブースであって、空気の圧入により膨大する輪状チューブからなる独立した枠体を、前部と後部又はその一方と左右及び上部に枠組して箱形又はテント形のドーム体となし、このドーム体内に外気を吸入して清浄にした空気を供給する空気清浄装置を直接又は空気管を介して接続してなるように構成したものである。
【発明の開示】
【発明が解決しようとする課題】
【００１１】
しかし、上記従来技術の場合には、次のような問題点を有している。すなわち、上記特開２００１−２５２６０１号公報や、特開２０００−２２５３６１号公報、特開平１１−１５９８１８号公報、特開平８−６６４３３号公報等に開示された技術の場合には、いずれも、装置が大型であって、その設置や除去が非常に煩雑であったり、あるいは装置が小型すぎて、作業者が中に入ってホコリやチリ等が発生する作業などを行うことができないという問題点を有していた。
【００１２】
そこで、この発明は、上記従来技術の問題点を解決するためになされたものであり、その目的とするところは、ホコリやチリ等が発生する作業などを、作業者が中に入って行うことが可能であり、しかもその設置や除去を簡便に行うことが可能な空気清浄器を提供することにある。
【課題を解決するための手段】
【００１３】
上記目的を達成するため、請求項１に記載された発明は、
折り畳みが可能に構成され、内部に作業者が入った状態で作業を行うことが可能なブース部と、
前記ブース部内の空気を清浄化する空気清浄化手段とを備えたことを特徴とする空気清浄器である。
【００１４】
また、請求項２に記載された発明は、
室内との空間を区画するために立設される複数本の骨組と、当該複数本の骨組の表面を覆うように張設されるシート体とから折り畳みが可能に構成され、内部に作業者が入った状態で作業を行うことが可能なブース部と、
前記ブース部の一端に連結され、フィルターと吸気ファンとを備えた吸気手段と、
前記ブース部の他端に連結され、少なくともフィルターを備えた排気手段とを具備したことを特徴とする空気清浄器である。
【００１５】
さらに、請求項３に記載された発明は、
前記ブース部は、複数本の骨組の間にシート体を畳み込むことにより、長手方向に沿って折り畳むことが可能に構成されていることを特徴とする請求項１又は２に記載の空気清浄器である。
【００１６】
又、請求項４に記載された発明は、
前記ブース部の排気部には、別体に構成された空気清浄化フィルターと排気ファンとを備えた空気清浄化手段が連結されることを特徴とする請求項１乃至３のいずれかに記載の空気清浄器である。
【００１７】
更に、請求項５に記載された発明は、
前記ブース部の吸気側に配設される吸気手段に、温度調節手段を設けたことを特徴とする請求項２に記載の空気清浄器である。
【発明の効果】
【００１８】
この発明によれば、ホコリやチリ等が発生する作業などを、作業者が中に入って行うことが可能であり、しかもその設置や除去を簡便に行うことが可能な空気清浄器を提供することができる。
【発明を実施するための最良の形態】
【００１９】
以下に、この発明の実施の形態について図面を参照して説明する。
【００２０】
実施の形態１
図１はこの発明の実施の形態１に係る空気清浄器を示す構成図である。
【００２１】
図１において、１は空気清浄器の全体を示すものであり、この空気清浄器１は、大別して、折り畳みが可能に構成され、内部に作業者が入った状態で作業を行うことが可能なブース部２と、前記ブース部２の一端に連結された吸気手段３と、前記ブース部２の他端に連結された排気手段４とから構成されている。
【００２２】
上記ブース部２は、図１に示すように、中央部２ａが断面略半円形状の筒状体に形成されているとともに、その両端部２ｂ、２ｃは、テーパー状に外径が徐々に小さくなるように設定されている。なお、上記ブース部２は、略円筒形状に限定されるものではなく、図２に示すように、略半球形状などのドーム状や、略直方体状などに形成しても良い。また、上記ブース部２は、略Ｕ字形状に形成された複数本の骨組５を備えており、中央部２ａの骨組５は、外径が大きく（例えば、１９００〜２０００ｍｍ程度）設定されているとともに、両端部２ｂ、２ｃの骨組５は、外径が小さく設定されている。
【００２３】
また、上記ブース部２は、骨組５の外周に張設されたシート体６を備えており、当該シート体６としては、例えば、透明なビニールシートが用いられる。このシート体６は、骨組５の全外周及び床面をすべて覆うように張設され、外気を完全に遮断する完全密封型となるように構成されている。上記シート体６は、骨組５の外周に位置する部分が、当該骨組５に一体的に固定されている。また、上記シート体６は、使用目的に応じて、骨組５の全外周のみを覆うように張設され、床面を開放するように構成しても良い。さらに、上記シート体６としては、透明なビニールシートではなく、黒色のシートを用いて、ブース部２を完全に外光を通さない遮光性にし、暗室状態にするように構成しても良い。この場合には、ホコリやチリ等を嫌う作業であって、且つ外光を露光することがない作業（暗室作業）を行うことができる。また、上記シート体６としては、不燃性や難燃性のものを使用することによって、ブース部２の内部で火気を使用できるように構成しても良い。この場合には、化学反応を伴う実験や、火気を使用する作業であって、しかもホコリやチリ等を嫌う作業を容易に行うことが可能となる。ただし、この場合には、ブース部２の内部が酸欠状態となることがないように、吸気手段３の強度をアップするなどして、ブース部２の内部な空気を供給するように構成するのが望ましい。
【００２４】
さらに、上記ブース部２は、作業者が立った状態で所望の作業を行うことができるように構成されており、当該ブース部２の一部には、図３に示すように、ファスナー７によって開閉可能な出入口８が設けられ、作業者が出入りしたり、作業物を出し入れすることが可能となっている。なお、ブース部２自体には、出入口を設けずに、当該ブース部２の設置時に、作業者や作業物を中に入れるように構成したり、ブース部２の床面を出入口として使用するように構成しても良い。
【００２５】
又、上記ブース部２は、折り畳み可能に構成されており、図４に示すように、ブース部２の骨組５を互いに重ねるようにシート体６を折り畳むことによって、コンパクトに収納することが可能となっている。
【００２６】
更に、上記ブース部２の一端部には、図１に示すように、吸気手段としてのフィルターボックス３が気密状に連結されている。このフィルターボックス３は、室内の空気９中のホコリやチリ等の異物１０を除去して、清浄化された空気１１をブース部２内に導入するためのフィルター１２を備えているととももに、外部（室内）の空気を吸気ファン１３によってブース部２の内部に清浄な空気１１を導入するように構成されている。
【００２７】
さらに、上記ブース部２の他端部には、排気手段４としてのフィルター１４が気密状に連結されている。このフィルター１４は、ブース部２内で発生したホコリやチリ等の異物１５をブース部２内の空気１６から除去して、清浄化された空気１７を室内に排気するためのものである。なお、上記ブース２内で人体に有害なガスや臭い等が発生する虞れがある場合には、フィルター１４として、有害なガスを除去したり、脱臭する能力を持ったフィルターを併せて使用するのが望ましい。
【００２８】
以上の構成において、この実施の形態に係る空気清浄器では、次のようにして、作業者が中に入って作業を行うことが可能であり、しかもその設置や除去等を簡便に行うことが可能となっている。
【００２９】
すなわち、この実施の形態に係る空気清浄器１は、図４に示すように、折り畳み可能に構成されており、可搬性に優れたものとなっているとともに、収容時にも広い場所をとることがないようになっている。
【００３０】
この空気清浄器１は、図１に示すように、使用時に、左右のフィルターボックス３と排気手段４としてのフィルター１４とを距離を離して配置し、複数本の骨組５を所定の間隔で立設するとともに、当該骨組５の表面にシート体６を張設することにより、図３に示すように、略円筒形状に形成されたブース部２が形成される。そして、上記ブース部２の内部には、図１に示すように、作業者が入るとともに、作業物（例えば、本棚など）が入れられて、古書等のホコリやチリが多い物の整理作業など、所望の作業が行われる。また、上記ブース部２の内部には、フィルターボックス３によって、室内の空気９がフィルター１２によってホコリやチリ等の異物１０を除去された状態で、新鮮でクリーンなエアー１１として吸気ファン１３により吸気される。さらに、上記ブース部２の内部で作業中に発生したホコリやチリ等の異物１５は、吸気ファン１３によって形成されるエアー１６により運ばれ、フィルター１４によって除去されて、ホコリやチリ等が除去されたエアー２７が室内に排気される。
【００３１】
その際、上記ブース部２の内部は、吸気ファン１３により吸気されるエアー１１によって、若干正圧（大気圧よりも高い気圧）になる場合があるが、当該ブース部２のエアーは、吸気ファン１３によって形成されるエアー１６の流れ及び若干正圧気味となる圧力により、フィルター１４を通して、清浄化されたエアー１７として室内に排出される。
【００３２】
このように、上記実施の形態に係る空気清浄器１の場合には、ホコリやチリ等が発生する作業などを、作業者がブース部の中に入って行うことが可能であり、しかもその設置や除去を、骨組５を広げることによって簡便に行うことが可能となっている。
【００３３】
実施の形態２
図５はこの発明の実施の形態２を示すものであり、前記実施の形態１と同一の部分には同一の符合を付して説明すると、この実施の形態２では、前記ブース部の排気部には、別体に構成された空気清浄化フィルターと排気ファンとを備えた空気清浄化手段が連結されるように構成されている。
【００３４】
すなわち、この実施の形態２では、図５に示すように、前記実施の形態１と同様に、フィルターボックス３の吸気ファン１３によって、ブース部２の内部に清浄化されたエアー１１を吸気するとともに、当該ブース部２の内部で発生したホコリやチリ等の異物１５を含むエアー１６を、フィルター１４を介して排気するように構成されているが、更に排気手段４としてのフィルター１４に、伸縮及び湾曲が自在なエアーダクト２０を介して、別体に構成された空気清浄化フィルターと排気ファンとを備えた空気清浄化手段２１が連結されるように構成されている。
【００３５】
上記空気清浄化手段２１は、ブース部２の内部で発生したホコリやチリ等の異物１５を含むエアー１６を、強制的にエアーダクト２０を介して吸気して、フィルター１４で除去しきれなかった微細なチリや細菌、あるいは臭気等を除去した上で排気するものであり、当該空気清浄化手段２１自体は、屋内に配置しても良いが、屋外あるいは屋外に向けて配置するように構成しても良い。
【００３６】
このような空気清浄化手段２１を用いた場合には、ブース部２の内部で発生するホコリやチリ等の異物１５を確実に除去することが可能となるとともに、フィルター１４で除去しきれなかった微細なチリや細菌、あるいは臭気等をも除去することが可能となり、本発明に係る空気清浄器１の適用範囲を大幅に広げることができる。
【００３７】
その他の構成及び作用は、前記実施の形態１と同様であるので、その説明を省略する。
【００３８】
なお、前記実施の形態では、フィルターボックス３にフィルター１２と吸気ファン１３とを設けた場合について説明したが、当該フィルターボックス３の内部に、温度調節手段としてのエアコンの熱交換器を設けることにより、ブース部２の内部を快適な温度に調節することが可能となるように構成しても良い。
【図面の簡単な説明】
【００３９】
【図１】図１はこの発明の実施の形態１に係る空気清浄器の使用状態を示す構成図である。
【図２】図２はこの発明の実施の形態１に係る空気清浄器のブース部の他の態様を示す構成図である。
【図３】図３はこの発明の実施の形態１に係る空気清浄器のブース部を示す構成図である。
【図４】図４はこの発明の実施の形態１に係る空気清浄器を折り畳んだ状態を示す構成図である。
【図５】図５はこの発明の実施の形態２に係る空気清浄器の使用状態を示す構成図である。
【符号の説明】
【００４０】
１：空気清浄器、２：ブース部、３：吸気手段、４：排気手段。
【図１】
2006299736.tif 000003
【図２】
2006299736.tif 000004
【図３】
2006299736.tif 000005
【図４】
2006299736.tif 000006
【図５】
2006299736.tif 000007